(57)【特許請求の範囲】
【請求項１】
像を表す表示光を発する表示器と、
前記表示器を内部に収納し、前記表示器からの前記表示光を外部へ出射させる出射口を有する筐体と、
前記出射口から出射された前記表示光を受けて前記像の虚像を表示するコンバイナと、
前記筐体の内部を移動するスライダを有し、前記スライダの移動に伴って動作するリンク機構によって、前記コンバイナを前記筐体から突出した突出状態と前記筐体内に格納された格納状態との一方から他方の状態へと遷移させる格納手段と、
開状態で前記出射口を開放し、閉状態で前記出射口を覆う蓋体と、
前記筐体に対して回転可能に設けられる蓋体支持部であって、第１の部分で前記蓋体を支持し、回転中心を挟んで前記第１の部分と反対側に位置する第２の部分が前記スライダと接触する蓋体支持部と、を備え、
前記スライダが所定方向に移動すると、前記コンバイナが前記突出状態から前記格納状態へと遷移すると共に、前記蓋体支持部の回転に応じて前記蓋体が前記開状態から前記閉状態へと遷移し、
前記スライダが前記所定方向と反対方向に移動すると、前記コンバイナが前記格納状態から前記突出状態へと遷移すると共に、前記蓋体支持部の回転に応じて前記蓋体が前記閉状態から前記開状態へと遷移する、
ことを特徴とするヘッドアップディスプレイ装置。
【請求項２】
前記格納手段は、前記コンバイナを保持する保持部と、前記筐体に対して回転可能に設けられ、前記筐体と前記保持部とを接続する一対の第１接続部及び第２接続部と、を有し、
前記リンク機構は、前記第１接続部及び前記第２接続部の一方を前記スライダによって駆動力が与えられる駆動節とし、他方を従動節とし、前記保持部を中間節とし、前記第１接続部及び前記第２接続部の各々の回転中心を結ぶ節を固定節として構成された４節リンク機構である、
ことを特徴とする請求項１に記載のヘッドアップディスプレイ装置。
【請求項３】
前記開状態の前記蓋体を前記閉状態に向かう方向へと付勢すると共に、前記閉状態の前記蓋体を前記開状態に向かう方向へと付勢する付勢手段をさらに備える、
ことを特徴とする請求項１又は２に記載のヘッドアップディスプレイ装置。
【請求項４】
像を表す表示光を発する表示器と、
前記表示器を内部に収納し、前記表示器からの前記表示光を外部へ出射させる出射口を有する筐体と、
前記出射口から出射された前記表示光を受けて前記像の虚像を表示するコンバイナと、
前記筐体の内部を移動するスライダを有し、前記スライダの移動に伴って動作するリンク機構によって、前記コンバイナを前記筐体から突出した突出状態と前記筐体内に格納された格納状態との一方から他方の状態へと遷移させる格納手段と、
開状態で前記出射口を開放し、閉状態で前記出射口を覆う蓋体と、
前記筐体に対して回転可能に設けられる蓋体支持部であって、第１の部分で前記蓋体を支持し、回転中心を挟んで前記第１の部分と反対側に位置する第２の部分が前記スライダと接触する蓋体支持部と、を備え、
前記スライダが所定方向に移動すると、前記コンバイナが前記突出状態から前記格納状態へと遷移すると共に、前記蓋体支持部の回転に応じて前記蓋体が前記開状態から前記閉状態へと遷移し、
前記スライダが前記所定方向と反対方向に移動すると、前記コンバイナが前記格納状態から前記突出状態へと遷移すると共に、前記蓋体支持部の回転に応じて前記蓋体が前記閉状態から前記開状態へと遷移し、
前記開状態の前記蓋体を前記閉状態に向かう方向へと付勢すると共に、前記閉状態の前記蓋体を前記開状態に向かう方向へと付勢する付勢手段をさらに備え、
前記付勢手段は、折り曲げ形成された板ばねであり、折り曲げ部分を挟んで一方の部分が前記筐体に固定され、他方の部分が前記蓋体に固定されている、
ことを特徴とするヘッドアップディスプレイ装置。
【請求項５】
前記スライダは、前記蓋体支持部の前記第２の部分を摺動する摺動部を有し、
前記第２の部分には、前記摺動部を案内して摺動させると共に、前記蓋体の開閉速度を徐変させる曲面を有する案内部が形成されている、
ことを特徴とする請求項１乃至４のいずれか１項に記載のヘッドアップディスプレイ装置。
【発明の詳細な説明】
【技術分野】
【０００１】
本発明は、ヘッドアップディスプレイ装置に関する。
【背景技術】
【０００２】
従来のヘッドディスプレイ装置（以下、ＨＵＤ装置とも言う）として、特許文献１に開示されたものがある。このＨＵＤ装置は、表示光を受けて像を表示するコンバイナを、リンクを用いた格納機構によって筐体内に格納可能に構成されたものである。
【先行技術文献】
【特許文献】
【０００３】
【特許文献１】特開２０１４−１２５１３１号公報
【発明の概要】
【発明が解決しようとする課題】
【０００４】
この種のＨＵＤ装置では、筐体に表示光を出射する出射口が設けられるため、出射口から塵等が侵入し、内機が劣化する畏れがある。これを防止するためには、出射口を開閉可能な蓋を設ければよいが、蓋を開閉するために専用のアクチュエータを新たに設けるとすれば装置の複雑化に繋がる。
【０００５】
本発明は、上記実情に鑑みてなされたものであり、簡潔な構成で出射口から塵等が侵入することを防止できるヘッドアップディスプレイ装置を提供することを目的とする。
【課題を解決するための手段】
【０００６】
上記目的を達成するため、本発明に係るヘッドアップディスプレイ装置は、
像を表す表示光を発する表示器と、
前記表示器を内部に収納し、前記表示器からの前記表示光を外部へ出射させる出射口を有する筐体と、
前記出射口から出射された前記表示光を受けて前記像の虚像を表示するコンバイナと、
前記筐体の内部を移動するスライダを有し、前記スライダの移動に伴って動作するリンク機構によって、前記コンバイナを前記筐体から突出した突出状態と前記筐体内に格納された格納状態との一方から他方の状態へと遷移させる格納手段と、
開状態で前記出射口を開放し、閉状態で前記出射口を覆う蓋体と、
前記筐体に対して回転可能に設けられる蓋体支持部であって、第１の部分で前記蓋体を支持し、回転中心を挟んで前記第１の部分と反対側に位置する第２の部分が前記スライダと接触する蓋体支持部と、を備え、
前記スライダが所定方向に移動すると、前記コンバイナが前記突出状態から前記格納状態へと遷移すると共に、前記蓋体支持部の回転に応じて前記蓋体が前記開状態から前記閉状態へと遷移し、
前記スライダが前記所定方向と反対方向に移動すると、前記コンバイナが前記格納状態から前記突出状態へと遷移すると共に、前記蓋体支持部の回転に応じて前記蓋体が前記閉状態から前記開状態へと遷移する、
ことを特徴とする。
または、上記目的を達成するため、本発明に係るヘッドアップディスプレイ装置は、上記構成に加え、
前記開状態の前記蓋体を前記閉状態に向かう方向へと付勢すると共に、前記閉状態の前記蓋体を前記開状態に向かう方向へと付勢する付勢手段をさらに備え、
前記付勢手段は、折り曲げ形成された板ばねであり、折り曲げ部分を挟んで一方の部分が前記筐体に固定され、他方の部分が前記蓋体に固定されている、
ことを特徴とする。
【発明の効果】
【０００７】
本発明によれば、簡潔な構成で出射口から塵等が侵入することを防止できる。
【図面の簡単な説明】
【０００８】
【図１】本発明の一実施形態に係るヘッドアップディスプレイ（ＨＵＤ）装置の開状態での斜視図である。
【図２】本発明の一実施形態に係るＨＵＤ装置の開状態での部分断面図である。
【図３】本発明の一実施形態に係るＨＵＤ装置の要部分解図である。
【図４】本発明の一実施形態に係るＨＵＤ装置が有する４節リンク機構を説明するための模式図である。
【図５】本発明の一実施形態に係る板ばねを説明するための模式図である。
【図６】本発明の一実施形態に係るＨＵＤ装置の蓋体の開閉動作を説明するための断面斜視図であり、（ａ）は開状態を示し、（ｂ）は閉状態を示す図である。
【図７】本発明の一実施形態に係るＨＵＤ装置の部分断面図であり、（ａ）は開状態から閉状態へと遷移する過程を示す図であり、（ｂ）は閉状態を示す図である。
【発明を実施するための形態】
【０００９】
本発明の一実施形態に係るＨＵＤ装置を、図面を参照して説明する。
【００１０】
ＨＵＤ装置１は、図１〜図７（ａ）（ｂ）に示すように、筐体１０と、表示器２０と、回路基板３０と、コンバイナ４０と、格納機構５０と、蓋体６０と、蓋体支持部７０と、板ばね８０と、を備える。
なお、格納機構５０は格納手段の一例であり、板ばね８０は付勢手段の一例である。
【００１１】
ＨＵＤ装置１は、例えば車両のダッシュボードに配設され、表示器２０からの表示光Ｌをコンバイナ４０に投射することにより、表示光Ｌが表す画像を虚像として表示する。この画像は、ユーザ（主に運転者）に、搭載車両に関する車速等の情報や、既知のカーナビゲーションシステムを用いた経路案内情報等を示す車両情報を報知するものである。つまり、車両情報は、自車の情報だけでなく、運転を補助するための種々の情報も含む。
【００１２】
なお、以下では、構成の理解を容易にするため、ＨＵＤ装置１が表示する像を視認する視認者Ｅ（図１参照）から見て、左右方向に沿う軸をＸ軸、上下方向に沿う軸をＹ軸、Ｘ軸及びＹ軸と直交する軸をＺ軸として、適宜、ＨＵＤ装置を構成する各部を説明する。また、Ｘ、Ｙ、及びＺ軸の各々を示す矢印が向く方向を各軸方向の＋（プラス）方向、その逆方向を−（マイナス）方向とする。
【００１３】
筐体１０は、連結した上ケース１１と下ケース１２とにより構成され、内部に各部（表示器２０〜蓋体支持部７０）を収納する（なお、コンバイナ４０は、後述の格納状態の時に収納される）。
上ケース１１には、出射口１１ａと挿通口１１ｂとが形成されている。出射口１１ａは、表示器２０からの表示光Ｌを筐体１０の外部へと通過（出射）させる開口である。挿通口１１ｂは、コンバイナ４０を後述の突出状態にする際に必要な開口である。下ケース１２の内部には、回路基板３０と後述の格納機構用筐体５２とが所定の方法で固定されている。
【００１４】
表示器２０は、車両情報を表す画像を表示することにより、当該画像を表す表示光Ｌを出射する。表示器２０は、例えば、液晶パネルとバックライト用光源から構成される透過型液晶ディスプレイ、又は自発光型ディスプレイから構成される。表示器２０は、突出状態のコンバイナ４０と対向するように筐体１０内の所定位置に配設されている。表示器２０から出射された表示光Ｌは、出射口１１ａを通過してコンバイナ４０へ向かう。
【００１５】
回路基板３０は、ＨＵＤ装置１の全体の動作を制御する制御部（図示せず）が実装されたプリント回路板である。制御部は、ＣＰＵ（Central Processing Unit）と、ＲＯＭ（Read Only Memory）、ＲＡＭ（Random Access Memory）等からなる記憶部と、後述のモータ５５（図２）を駆動するドライバと、を備える。記憶部には、ＣＰＵの処理手順を示す動作プログラムや表示器２０に表示させる画像データ等が予め記憶されている。回路基板３０は、表示器２０、モータ５５、及び位置検出手段（後述）の各々とＦＰＣ（Flexible Printed Circuit）等で接続されている。
制御部は、（ｉ）車両のＥＣＵ（Electronic Control Unit）等から取得した各種の車両情報に基づいて表示器２０に所定の車両情報を示す画像を表示させたり、（ｉｉ）後述の操作部からの操作信号に応じてモータ５５を駆動して後述のスライダ５６を移動させたり、（ｉｉｉ）後述の位置検出手段からの検出信号に基づいてコンバイナ４０の位置を判別したりする。
【００１６】
コンバイナ４０は、曲面を有する板状のハーフミラーやホログラム素子等から構成されている。コンバイナ４０は、後述の格納機構５０の動作に応じて、筐体１０から突出した状態（以下「突出状態」という）と、筐体１０内に格納された状態（以下「格納状態」という）との一方から他方の状態へ遷移する。
【００１７】
後に詳述するが、コンバイナ４０が突出状態から格納状態へと遷移する際、これと連動して出射口１１ａを開閉する蓋体６０も開状態から閉状態へと遷移する。逆への遷移も同様である。つまり、本実施形態に係るＨＵＤ装置１では、コンバイナ４０が突出状態の時に蓋体６０が開状態となり、コンバイナ４０が格納状態の時に蓋体６０が閉状態となる。なお、蓋体６０が開状態の場合をＨＵＤ装置１が開状態である、とも表現する。閉状態の場合も同様である。
【００１８】
突出状態のコンバイナ４０は、図１、図２に示すように、筐体１０の挿通口１１ｂから上方に突出した格好となる。なお、図２は筐体１０をＹＺ平面と平行な所定面で切った部分断面図であり、筐体１０の内部機構を左側面から見た図である（図７（ａ）（ｂ）も同様）。
【００１９】
突出状態のコンバイナ４０は、その凹面４０ａ（概ね＋Ｚ方向に向く面）で、表示器２０が出射した表示光Ｌを受け、入射した表示光Ｌの光路を変更する。なお、コンバイナ４０としてハーフミラーを用いる場合は反射により表示光Ｌの光路を変更し、ホログラム素子を用いる場合は回折により表示光Ｌの光路を変更する。コンバイナ４０の凹面４０ａは、表示光Ｌを集光する機能を有し、光を単純反射させる場合よりも、虚像を前遠方（例えば、コンバイナ４０より約１ｍ前方）に形成することのできる曲面として構成されている。コンバイナ４０は、その前方位置Ｆ（図１）に表示光Ｌが示す画像の虚像を形成するとともに、前方からの光を透過する。これにより、ＨＵＤ装置１は、実景に重ねて虚像として表示された画像を、視認者Ｅに視認させることができる。
【００２０】
図３に示す格納機構５０は、コンバイナ４０を突出状態と格納状態との一方から他方の状態へと遷移させる機構である。格納機構５０は、ホルダ５１と、格納機構用筐体５２と、第１接続部５３と、第２接続部５４と、モータ５５と、スライダ５６と、を備える。
【００２１】
ホルダ５１は、コンバイナ４０を保持する。ホルダ５１は、Ｘ方向に延びる柱状の部材であり、例えば樹脂材により形成されている。コンバイナ４０は、その一端部（突出状態における下端部）がホルダ５１に固定されて保持される。
【００２２】
格納機構用筐体５２は、筐体１０内部に固定され、筐体１０に対して不動となっている。格納機構用筐体５２は、例えば樹脂材で形成され、図３に示すように、蓋体支持部７０を回転可能に支持する支持部５２ａと、蓋体支持部７０の回転動作を妨げないように設けられた開口５２ｂと、ＹＺ平面と略平行な面を有する側部５２ｃと、を有する。側部５２ｃには、第１接続部５３及び第２接続部５４が取り付けられる。また、側部５２ｃには、スライダ５６の第１接触部５６ａ（後述）が挿通され、且つ、第１接触部５６ａを格納機構用筐体５２の外部へと露出させる孔５２ｄが形成されている。この孔５２ｄは、スライダ５６の移動範囲に対応して、概ねＺ方向に延びて形成されている。また、格納機構用筐体５２の所定位置には、モータ５５が配設されている。
【００２３】
第１接続部５３は、格納機構用筐体５２に回転可能に設けられると共に、格納機構用筐体５２とホルダ５１とを連結する棒状の部材であり、例えば樹脂材で形成されている。
第１接続部５３は、その一端部が、Ｘ軸と平行な軸Ｐを中心として回転可能に格納機構用筐体５２の側部５２ｃに取り付けられている。また、第１接続部５３は、その他端部で、Ｘ軸と平行な軸Ｑを中心としてホルダ５１を回転可能に支持している。例えば、側部５２ｃに軸Ｐに沿った凸部が形成され、第１接続部５３の一端部に当該凸部と嵌合する凹部が形成されていることで、第１接続部５３が軸Ｐを中心として回転可能になっている。また、ホルダ５１に軸Ｑに沿った凸部が形成され、第１接続部５３の他端部に当該凸部と嵌合する凹部が形成されていることで、ホルダ５１が軸Ｑを中心として第１接続部５３に対して回転可能になっている。これらの凹凸の関係は逆であってもよい。なお、後述の軸Ｓ，Ｒ，Ｔ，Ｕの各軸を中心として回転可能な各部材についても、取付側と被取付側との関係は同様であるため、どのようにして各部材が回転可能に支持されているかは省略する。
以上を踏まえると、第１接続部５３は、軸Ｐを中心とした関節（ジョイント）によって、格納機構用筐体５２と連結していると言える。そして、この関節は、１つの自由度を持つ。また、軸Ｐと共に、後述の４節リンク機構の各関節の中心となる軸Ｑ、Ｒ、Ｓについても、同様に各部材を連結する関節が構成され、各軸を中心とした関節は、１つの自由度を持つ。なお、図２、図４、図７（ａ）（ｂ）では、筐体１０に対して不動な軸Ｐ，Ｓ，Ｔ，Ｕを黒丸で表し、筐体１０に対して移動する軸Ｑ，Ｒを白丸で表した。
【００２４】
第２接続部５４は、格納機構用筐体５２に回転可能に設けられると共に、格納機構用筐体５２とホルダ５１とを連結する棒状の部材であり、例えば樹脂材で形成されている。第２接続部５４は、第１接続部５３と対になるように設けられ、コンバイナ４０の突出状態において第１接続部５３よりも下方に位置する。
第２接続部５４は、その一端部が、Ｘ軸と平行な軸Ｓを中心として回転可能に格納機構用筐体５２の側部５２ｃに取り付けられている。また、第２接続部５４は、その他端部で、Ｘ軸と平行な軸Ｒを中心としてホルダ５１を回転可能に支持している。
【００２５】
格納機構５０は、４節リンク機構によってコンバイナ４０を移動させることで、突出状態と格納状態との一方から他方の状態へと遷移させる。
４節リンク機構は、固定節（固定リンク）と、固定節の両端に位置する関節（ジョイント）の一方に繋がり、駆動力が与えられる駆動節（駆動リンク）と、固定節の他方の関節に繋がり、駆動節と対向する従動節（従動リンク）と、駆動節と従動節とを結ぶ中間節（中間リンク）と、からなる機構として知られている。これに対応させると、格納機構５０が有する４節リンク機構は、格納機構用筐体５２の一部（具体的には、軸Ｐと軸Ｓの各中心とを結ぶ節）が固定節として、第１接続部５３と第２接続部５４との一方が駆動節、他方が従動節として、ホルダ５１が中間節として機能するように構成されている（図４参照）。このように構成される４節リンク機構では、コンバイナ４０を格納状態から突出状態へと遷移させる際には、第１接続部５３がスライダ５６によって駆動力が与えられる駆動節、第２接続部５４が従動節として機能する。また、コンバイナ４０を突出状態から格納状態へと遷移させる際には、第２接続部５４がスライダ５６によって駆動力が与えられる駆動節、第１接続部５３が従動節として機能する。具体的な動作は後述する。
【００２６】
以上では、主に図２を参照して、ＨＵＤ装置１の内部機構を左側面から見て４節リンク機構を説明したが、ＨＵＤ装置１は、概ね左右対称に構成されており、その右側にも同様に、第１接続部、第２接続部等を有する４節リンク機構が構成されている。つまり、ＨＵＤ装置１は、コンバイナ４０の左右両側において同様に動作する４節リンク機構により、コンバイナ４０を移動させる。そのため、右側の４節リンク機構についての詳細は省略する。
【００２７】
図２に示すモータ５５は、スライダ５６に前後方向に移動するための動力を与える。モータ５５は、前記制御部の制御の下で駆動軸を回転させる。モータ５５の駆動軸には歯車が圧入されている。この歯車は、複数の歯車（図示せず）を介して、スライダ５６に形成されたギヤ５６０（図３）と間接的に噛み合う。ギヤ５６０は、概ねＺ方向に沿って櫛歯状に形成されている。このような構成により、モータ５５の回転動力がスライダ５６に伝達され、スライダ５６が前後方向に移動する。
【００２８】
なお、格納構用筐体５２の所定の部分には、位置検出手段（図示せず）が配設されており、これにより、コンバイナ４０が突出状態にあるか格納状態にあるかを検出できるようになっている。位置検出手段は、スライダ５６の前後方向の位置を検出するリニアポテンショメータ、第１接続部５３の軸Ｐや、第２接続部５４の軸Ｓ周りの回転角度を検出するロータリーポテンショメータ等から構成されている。位置検出手段は、所定の位置にスライダ５６が位置した場合に、位置情報を示す検出信号を制御部に供給する。制御部は、この検出信号に基づいてコンバイナ４０が突出状態にあるか格納状態にあるかを判別する。
【００２９】
スライダ５６は、格納機構用筐体５２に対してスライド可能に設けられ、モータ５５の動力によって前後方向に移動する。スライダ５６は、移動に応じて第１接続部５３又は第２接続部５４と接触する第１接触部５６ａと、蓋体支持部７０と接触する第２接触部５６ｂ（摺動部の一例）と、を有する。
【００３０】
第１接触部５６ａは、格納機構用筐体５２の孔５２ｄを通って、格納機構用筐体５２の外側へと突出する部分である。第１接触部５６ａの先端は、第１接続部５３と第２接続部５４との間に位置する。第１接触部５６ａは、ポリアセタール（ＰＯＭ（Polyoxymethylene））樹脂等の摺動性樹脂から、Ｘ軸方向に高さを有する円柱状に形成されている。
【００３１】
第１接触部５６ａは、先端で第１接続部５３又は第２接続部５４を押圧して移動させることで、４節リンク機構を駆動する。つまり、第１接触部５６ａにより４節リンク機構に駆動力が与えられる。
具体的には、スライダ５６の前方移動により第１接触部５６ａが第１接続部５３を前方に押圧すると、押圧された第１接続部５３が軸Ｐを中心に時計回りに回転（以下、ＣＷ（Clock Wise）回転）し、これに追従して第２接続部５４も軸Ｓを中心に時計回りに回転する。つまり、スライダ５６が前方移動する場合は、第１接続部５３が駆動節、第２接続部５４が従動節として機能する。こうして動作する４節リンク機構は、コンバイナ４０を突出させる方向に移動させる。
一方、スライダ５６の後方移動により第１接触部５６ａが第２接続部５４を後方に押圧すると、押圧された第２接続部５４が軸Ｓを中心に反時計回りに回転（以下、ＣＣＷ（Counter Clock Wise）回転）し、これに追従して第１接続部５３も軸Ｐを中心に時計回りに回転する。つまり、スライダ５６が後方移動する場合は、第２接続部５４が駆動節、第１接続部５３が従動節として機能する。
こうして動作する４節リンク機構は、コンバイナ４０を格納する方向に移動させる。なお、ここでのＣＷ回転、ＣＣＷ回転は、ＨＵＤ装置１を左側から見た場合の回転方向である。説明の理解を容易にするため、以下同様とする。
【００３２】
第２接触部５６ｂは、図３の分解図で示すように、格納機構用筐体５２の開口５２ｂの下方に位置する。第２接触部５６ｂは、蓋体支持部７０の案内部７２ａ（後述）内に入り込む。第２接続部５６ｂは、ＰＯＭ樹脂等の摺動性樹脂から、Ｘ軸方向に高さを有する円柱状に形成されている。
第２接触部５６ｂは、スライダ５６の移動に伴い案内部７２ａ内を摺動することで、蓋体支持部７０を回転させる。蓋体支持部７０の回転動作に応じて蓋体６０が開閉する。動作の詳細は後述する。
【００３３】
蓋体６０は、開状態で出射口１１ａを開放し、閉状態で出射口１１ａを覆う。後述するように、蓋体６０は、コンバイナ４０と連動し、コンバイナ４０が突出状態となる時に開状態となり、コンバイナ４０が格納状態となる時に閉状態となる。これにより、ＨＵＤ装置１の不使用時には内部に塵等が侵入することを防止することができる。
【００３４】
蓋体６０は、上ケース１１の開口端（コンバイナ４０側）に、Ｘ軸と平行な軸Ｔ周りに回転可能に取り付けられている。また、蓋体６０には、蓋体支持部７０の摺動子７１ａ（後述）が嵌め込まれると共に、蓋体支持部７０の回転に応じて摺動子７１ａを摺動させ、蓋体６０の支持位置を変化させる摺動路６１が設けられている。摺動路６１は、図６（ａ）（ｂ）に示すように、蓋体６０が延びる方向に沿って形成される溝状の部分である。
【００３５】
蓋体支持部７０は、棒状の部材であり、蓋体６０を支持する。蓋体支持部７０は、格納機構用筐体５２の支持部５２ａに回転可能に支持される軸部７０ａを有し、これにより格納機構用筐体５２に対してＸ軸と平行な軸Ｕ周りに回転可能となっている。
蓋体支持部７０は、軸部７０ａよりも上側の第１の部分７１で蓋体６０を支持する。また、蓋体支持部７０の軸部７０ａよりも下側の第２の部分７２は、格納機構用筐体５２の開口５２ｂを通過して下方に位置する。
【００３６】
第１の部分７１の先端には、左右に突出した円柱状の摺動子７１ａが形成されている。摺動子７１ａは、蓋体６０の摺動路６１に摺動可能に嵌め込まれている。
【００３７】
第２の部分７２には、スライダ５６の第２接触部５６ｂが摺動可能に嵌め込まれると共に、蓋体６０の開閉速度を徐変させる案内部７２ａが形成されている。
【００３８】
案内部７２ａは、図２に示すように側面視で、一端が開放端で、一端から他端へと到る途中で折れ曲がったＵ字状に形成されている。組み付け時においては、スライダ５６の第２接触部５６ｂは、開放端から案内部７２ａと挿入される。案内部７２ａは、Ｘ方向に窪む溝、または第２の部分７２をＸ方向に貫通する孔として形成されている。図２、図６（ａ）に示すように、第２接触部５６ｂは、案内部７２ａに挟まれるようにして摺動可能に挿入されている。
案内部７２ａは、図２に示すコンバイナ４０の突出状態において、開放端側から後方にスライダ５６の移動方向と平行に延びる平行部と、この平行部から軸Ｕに向かって傾斜する傾斜部と、を有する。そして、傾斜部に蓋体６０の開閉速度を徐変させる曲面が形成されている（図２の側面視では曲線状）。この曲面がどのように蓋体６０の開閉速度を徐変させるかについては後述する。
【００３９】
板ばね８０は、例えば金属からなり、折り曲げ形成されている。板ばね８０は、図２に示すように、折り曲げ部分が蓋体６０の回転中心となる軸Ｔの下方に位置するように設けられ、折り曲げ部分を挟んで一方が上ケース１１に固定され、他方が蓋体６０に固定されている。
ここで、図５に示すように、板ばね８０の曲げ角度は、蓋体６０の開閉角度の略半分（丁度半分も含む）になるように調整されている。例えば同図に示すように、蓋体６０の開閉角度が２０°に設定されている場合、板ばね８０の曲げ角度は１０°となる。このように折り曲げられた板ばね８０は、開状態の蓋体６０を閉状態に向かう方向に付勢する一方で、閉状態の蓋体６０を開状態に向かう方向に付勢することになる。これにより、板ばね８０の弾性で蓋体６０開閉時のガタツキを防止すると共に、モータ５５の始動を補助することができる。
【００４０】
以上がＨＵＤ装置１の構造である。次に、ＨＵＤ装置１におけるコンバイナ４０の状態遷移と、蓋体６０の開閉動作を説明する。
【００４１】
例えば、ＨＵＤ装置１の所定箇所や、車両のダッシュボートに、ボタン等からなる操作部が設けられており、ユーザ（通常、視認者Ｅ）が、このボタンを押下すると、操作内容を示す操作信号が前記制御部に供給される。操作信号に応じた制御部は、モータ５５を駆動することで、スライダ５６を介してコンバイナ４０を移動させる。具体的には、制御部は、モータ５５の駆動軸を一定の速度で、操作信号に応じた回転方向に回転させる。モータ５５の回転動力は、複数の歯車を介してスライダ５６に伝達され、スライダ５６が前後方向に移動する。
【００４２】
まず、ＨＵＤ装置１が図２に示す開状態（コンバイナ４０の突出状態）から、図７（ｂ）に示す閉状態（コンバイナ４０の格納状態）へと遷移させる場合について説明する。この場合、スライダ５６は後方に移動する。なお、図７（ａ）（ｂ）では、板ばね８０を省略している。
【００４３】
スライダ５６の後方移動により第１接触部５６ａが第２接続部５４を後方に押圧すると、押圧された第２接続部５４が軸Ｓを中心にＣＣＷ回転し、これに追従して第１接続部５３も軸Ｐを中心にＣＣＷ回転する。
これにより、図７（ａ）に示すように、４節リンクが動作し、コンバイナ４０が筐体１０の挿通口１１ｂから内部に引き寄せられるように、下方に移動する。この際、コンバイナ４０を保持するホルダ５１が軸Ｑと軸Ｒとを結ぶ中間節として機能するため、コンバイナ４０は、第１接続部５３及び第２接続部５４の回転動作に追従してＣＣＷ回転しながら下方に移動する。
コンバイナ４０がこのように移動し、図７（ｂ）に示す格納状態まで遷移すると、前記位置検出手段からコンバイナ４０が格納状態に遷移したことを示す検出信号が制御部に供給される。この検出信号に応じた制御部は、モータ５５の動作を停止させる。これにより、コンバイナ４０の突出状態（図２）から格納状態（図７（ｂ））への遷移が完了する。
【００４４】
本実施形態に係るＨＵＤ装置１では、コンバイナ４０の突出状態から遷移状態への遷移と連動して、蓋体６０が開状態から閉状態へと遷移する。以下、蓋体６０の遷移について説明する。
【００４５】
スライダ５６の後方移動に伴い、図６（ａ）に示すように、第２接触部５６ｂは、蓋体支持部７０の案内部７２ａを後方に摺動する。第２接触部５６ｂが案内部７２ａの平行部を摺動している際には、蓋体支持部７０は軸Ｕ周りに回転を始めない。
【００４６】
スライダ５６の後方移動に伴い、図７（ａ）に示すように、コンバイナ４０が下方移動していく課程で、第２接触部５６ｂは、案内部７２ａの平行部から軸Ｕに向かって傾斜部へと案内される。第２接触部５６ｂが傾斜部での摺動を開始すると、傾斜部はスライダ５６の移動方向に対して傾斜しているため、蓋体支持部７０が軸Ｕ周りにＣＣＷ回転を始める。この回転に応じて蓋体支持部７０の摺動子７１ａが、蓋体６０に形成された摺動路６１を軸Ｔ側に向かって移動し、蓋体支持部７０の回転を妨げないように蓋体６０を支持する位置を変化させる（図６（ａ）（ｂ）参照）。
【００４７】
蓋体支持部７０のＣＣＷ回転と、摺動子７１ａによる蓋体６０の支持位置との変化に応じて、蓋体６０は、軸Ｔを中心にＣＣＷ回転して上昇し、閉状態から開状態へ向かって遷移する。
【００４８】
第２接触部５６ｂが傾斜部の軸Ｕ側に形成された曲面上を摺動し始めると、蓋体支持部７０の回転速度が徐々に低下する。この曲面は、例えば、第２接触部５６の蓋体支持部７０に対する作用（軸Ｕを中心とした円周方向へ作用）が徐々に弱まる曲率で形成されている。そして、第２接触部５６ｂが案内部７２ａの終端部に位置すると、蓋体６０が図６（ｂ）、図７（ｂ）に示す閉状態となる。
このように蓋体支持部７０の案内部７２ａに曲面を形成したため、蓋体６０が閉状態になる間際に、蓋体６０の回転速度が緩やかになるようにすることができる。
【００４９】
一方、コンバイナ４０が格納状態から突出状態へと遷移する際は、ＨＵＤ装置１は、以上の説明とは逆の動作をする。簡潔に説明すれば、スライダ５６の前方移動により、第１接続部５３が第１接触部５６ａに前方に押圧されることで４節リンク機構が動作し、コンバイナ４０が格納状態から突出状態へと遷移する。この過程で、第２接触部５６ｂは、蓋体支持部７０の案内部７２ａを傾斜部から平行部に向かって摺動する。第２接触部５６ｂが傾斜部から平行部に至ったタイミングで蓋体６０は開状態となる。なお、傾斜部に形成された前述の曲面により、蓋体６０は、開動作の開始直後は、緩やかにＣＷ回転をする。
つまり、蓋体６０が閉状態になる間際と、閉状態から開状態への動作を開始した直後には、蓋体６０の回転速度が緩やかになる。これにより、ＨＵＤ装置１の高級感を演出でき、商品性を高めることができる。
【００５０】
また、前述のように板ばね８０によって、開状態の蓋体６０が閉状態に向かう方向に付勢される一方で、閉状態の蓋体６０が開状態に向かう方向に付勢される。このため、蓋体６０を開状態及び閉状態の一方から他方への遷移を開始する際のモータ５５の始動を補助することができる。
【００５１】
なお、蓋体６０が閉状態となるタイミングは、コンバイナ４０の格納状態への遷移が完了したタイミングと同時でなくともよい。同様に、蓋体６０が開状態となるタイミングは、コンバイナ４０の突出状態への遷移が完了したタイミングと同時でなくともよい。コンバイナ４０が移動する過程の任意のタイミングで、蓋体６０が開状態又は閉状態となればよい。
【００５２】
以上の構成からなるＨＵＤ装置１は、像（画像）を表す表示光Ｌを発する表示器２０と、表示器２０を内部に収納し、表示器２０からの表示光Ｌを外部へ出射させる出射口１１ａを有する筐体１０と、出射口１１ａから出射された表示光Ｌを受けて前記像の虚像を表示するコンバイナ４０と、筐体１０の内部を移動するスライダ５６を有し、スライダ５６の移動に伴って動作する４節リンク機構によって、コンバイナ４０を突出状態と格納状態との一方から他方の状態へと遷移させる格納機構５０（格納手段の一例）と、開状態で出射口１１ａを開放し、閉状態で出射口１１ａを覆う蓋体６０と、筐体１０に対して回転可能に設けられる蓋体支持部７０であって、第１の部分７１で蓋体６０を支持し、回転中心を挟んで第１の部分７１と反対側に位置する第２の部分７２がスライダ５６と接触する蓋体支持部７０と、を備える。
スライダ５６が所定方向に移動すると、コンバイナ４０が突出状態から格納状態へと遷移すると共に、蓋体支持部７０の回転に応じて蓋体６０が開状態から閉状態へと遷移し、スライダ５６が前記所定方向と反対方向に移動すると、コンバイナ４０が格納状態から突出状態へと遷移すると共に、蓋体支持部７０の回転に応じて蓋体６０が閉状態から開状態へと遷移する。
具体的には、格納機構５０は、前記コンバイナを保持するホルダ５１（保持部の一例）と、筐体１０に対して回転可能に設けられ、筐体１０とホルダ５１とを接続する一対の第１接続部５３及び第２接続部５４と、を有し、４節リンク機構は、第１接続部５３及び第２接続部５４の一方をスライダ５６によって駆動力が与えられる駆動節とし、他方を従動節とし、ホルダ５１を中間節とし、第１接続部５３及び第２接続部５４の各々の回転中心（軸Ｐ、軸Ｓ）を結ぶ節を固定節として構成されている。
このように、ＨＵＤ装置１をコンバイナ４０の移動と連動して蓋体６０を開閉可能に構成したから、蓋体６０の開閉動作専用のアクチュエータを設ける必要がなく、構成が簡潔である。そして、ＨＵＤ装置１の不使用時には、出射口１１ａを覆う（閉じる）ため、内部に塵等が侵入することを防止できる。
【００５３】
また、ＨＵＤ装置１は、開状態の蓋体６０を閉状態に向かう方向へと付勢すると共に、閉状態の蓋体６０を開状態に向かう方向へと付勢する板ばね８０（付勢手段の一例）をさらに備える。
具体的には、板ばね８０は、折り曲げ形成されており、折り曲げ部分を挟んで一方の部分が筐体１０に固定され、他方の部分が蓋体１０に固定されている。
このようにしたから、前述のように、蓋体６０開閉時のガタツキを防止すると共に、モータ５５の始動を補助することができる。
【００５４】
また、スライダ５６は、蓋体支持部７０の第２の部分７２を摺動する第２接触部５６ｂ（摺動部の一例）を有し、第２の部分７２には、第２接触部５６ｂを案内して摺動させると共に、蓋体６０の開閉速度を徐変させる曲面を有する案内部７２ａが形成されている。
このようにしたから、前述のように、蓋体６０が閉状態になる間際と、閉状態から開状態への動作を開始した直後に、蓋体６０の回転速度を緩めることができ、商品性を高めることができる。
【００５５】
なお、本発明は上記実施形態及び図面によって限定されるものではない。上記実施形態及び図面に変更（構成要素の削除も含む）を加えることができるのはもちろんである。
【００５６】
以上の説明では、スライダ５６の第１接触部５６ａが第１接続部５３と第２接続部５４との間に位置し、４節リンク機構を駆動する構成例を示したがこれに限られない。第１接触部５６ａが第１接続部５３と第２接続部５４とのいずれか一方のみを所定方向から押圧し、当該所定方向と反対方向に第１接続部５３又は第２接続部５４を付勢する弾性部材を設ける構成としてもよい。また、以上では、スライダ５６の移動に伴って動作する４節リンク機構によって、コンバイナ４０を移動させる例を示したが、リンク機構は、３節以下のリンクや、５節以上のリンクにより構成されるものであってもよい。
【００５７】
以上の説明では、開状態の蓋体６０を閉状態に向かう方向へと付勢すると共に、閉状態の蓋体６０を開状態に向かう方向へと付勢する付勢手段の一例として板ばね８０を用いたがこれに限られない。このような付勢手段を、トーションばね、樹脂ばね、ゴム等の他の弾性部材を単体で用いたり、複数組み合わせたりすることによって実現してもよい。
【００５８】
以上の説明では、表示器２０とコンバイナ４０が対向する配置例を示したがこれに限られない。例えば、表示器２０を＋Ｚ軸方向側に表示光Ｌを出射するように配置し、所定の反射部材により、光路を折り返して、表示光Ｌをコンバイナ４０に到達させてもよい。
【００５９】
以上の説明では、駆動軸の回転速度が一定のモータ５５を用いた例を示したが、これに限られない。サーボモータや、ステッピングモータであってもよい。これらのモータで、駆動軸の回転角を制御すれば、蓋体支持部７０の案内部７２ａに蓋体６０の開閉速度を徐変させる曲面を設けなくとも、蓋体６０の開閉速度を調整することが可能である。但し、制御を簡潔にしたい場合は、曲面を設けた方が良い。
【００６０】
以上の説明では、ＨＵＤ装置１を設置する乗り物の一例を車両としたが、これに限られない。ＨＵＤ装置１を船舶、航空機等のその他の乗り物の運転席付近に設置することもできる。
【００６１】
以上の説明では、本発明の理解を容易にするために、重要でない公知の技術的事項の説明を適宜省略した。
【符号の説明】
【００６２】
１  ヘッドアップディスプレイ（ＨＵＤ）装置
１０  筐体
１１ａ  出射口
１１ｂ  挿通口
２０  表示器
Ｌ  表示光
３０  回路基板
４０  コンバイナ
５０  格納機構
５１  ホルダ
５２  格納機構用筐体
５３  第１接続部
５４  第２接続部
Ｐ，Ｑ，Ｒ，Ｓ  軸
５５  モータ
５６  スライダ
５６ａ  第１接触部
５６ｂ  第２接触部
６０  蓋体
６１  摺動路
７０  蓋体支持部
７１  第１の部分
７１ａ  摺動子
７２  第２の部分
７２ａ  案内部
８０  板ばね
【図１】
0006524637.tif 000002
【図２】
0006524637.tif 000003
【図３】
0006524637.tif 000004
【図４】
0006524637.tif 000005
【図５】
0006524637.tif 000006
【図６】
0006524637.tif 000007
【図７】
0006524637.tif 000008